(57)【要約】【課題】相手通信端末との通信を他の通信路を用いた通信へ容易に切り替える。【解決手段】通信端末１０において、通信ネットワーク２に接続されている相手通信端末５０との間で通信路２Ａを用いて通信６１を行っている際、利用者の通信転送操作に応じて、通信切替制御部１４により、呼制御部１３を自動制御して通信ネットワーク２，３へ一連の呼制御を指示することにより、通信路３Ａを用いた自通信端末１０と相手通信端末５０との通信６３へ元の通信６１を切り替える切替制御を行う。【選択図】  図１
2010004160.tif 000002
【特許請求の範囲】
【請求項１】
網間接続されている第１および第２の通信ネットワークを含む通信システムで用いられる通信端末であって、
第１の通信路を介して前記第１の通信ネットワークに接続する第１の通信インターフェース部と、
第２の通信路を介して前記第２の通信ネットワークに接続する第２の通信インターフェース部と、
前記第１の通信路を用いた通信に関する各種呼制御を前記第１の通信ネットワークへ指示し、前記第２の通信路を用いた通信に関する各種呼制御を前記第２の通信ネットワークへ指示し、これら通信の接続および切断を制御する呼制御部と、
前記第１の通信ネットワークに接続されている相手通信端末との間で前記第１の通信路を用いて第１の通信を行っている際、利用者の通信転送操作に応じて、前記呼制御部を自動制御して前記第１および第２の通信ネットワークへ一連の呼制御を指示することにより、前記第２の通信路を用いた自通信端末と前記相手通信端末との通信へ前記第１の通信を切り替える切替制御を行う通信切替制御部と
を備え、
前記通信切替制御部は、
前記第１の通信に関する転送開始要求を、前記呼制御部から前記第１の通信ネットワークへ通知し、
前記転送開始要求に応じて、前記第１の通信ネットワークで前記相手通信端末が保留された後、前記第１の通信路と前記第２の通信路を用いた自通信端末相互間の第２の通信に関する通信確立要求を、前記呼制御部から前記第１の通信ネットワークへ通知し、
前記通信確立要求に応じた前記第２の通信ネットワークからの通信要求に応じて、当該通信要求に対する応答を、前記呼制御部から前記第２の通信ネットワークへ通知し、
前記応答に応じて前記第１の通信路、前記第１の通信ネットワーク、前記第２の通信ネットワーク、および前記第２の通信路を介した前記第２の通信が確立された後、前記第１の通信に関する転送起動要求を、前記呼制御部から前記第１の通信ネットワークへ通知し、
前記転送起動要求に応じて、前記第１の通信ネットワーク、前記第２の通信ネットワーク、および前記第２の通信路を介した、前記相手通信端末と自通信端末との間の第３の通信が確立された後、前記第１の通信路を用いた前記第１の通信および前記第２の通信に関する切断を前記呼制御部へ指示する
ことを特徴とする通信端末。
【請求項２】
網間接続されている第１および第２の通信ネットワークを含む通信システムで用いられる通信端末であって、
通信路を介して前記第１の通信ネットワークに接続する通信インターフェース部と、
前記通信路を用いた通信に関する各種呼制御を前記第１の通信ネットワークへ指示し、当該通信の接続および切断を制御する呼制御部と、
前記第１の通信ネットワークに接続されている相手通信端末との間で前記通信路を用いて第１の通信を行っている際、利用者の通信転送操作に応じて、前記呼制御部を自動制御して前記第１の通信ネットワークへ一連の呼制御を指示することにより、前記第２の通信ネットワークに接続されている転送先通信端末と前記相手通信端末との通信へ前記第１の通信を切り替える切替制御を行う通信切替制御部と
を備え、
前記通信切替制御部は、
前記第１の通信に関する転送開始要求を、前記呼制御部から前記第１の通信ネットワークへ通知し、
前記転送開始要求に応じて、前記第１の通信ネットワークで前記相手通信端末が保留された後、前記第１の通信路を介した自通信端末と前記転送先通信端末との間の第２の通信に関する通信確立要求を、前記呼制御部から前記第１の通信ネットワークへ通知し、
前記通信確立要求に応じて、前記第１の通信路、前記第１の通信ネットワーク、前記第２の通信ネットワークを介した前記第２の通信が確立された後、前記第１の通信に関する転送起動要求を、前記呼制御部から前記第１の通信ネットワークへ通知し、
前記転送起動要求に応じて、前記第１の通信ネットワークおよび前記第２の通信ネットワークを介した、前記相手通信端末と前記転送先通信端末との間の第３の通信が確立された後、前記第１の通信路を用いた前記第１の通信に関する切断を前記呼制御部へ指示する
ことを特徴とする通信端末。
【請求項３】
請求項１または請求項２に記載の通信端末において、
前記第２の通信ネットワークが前記第１の通信ネットワークからなることを特徴とする通信端末。
【請求項４】
請求項１に記載の通信端末において、
前記第２の通信ネットワークが前記第１の通信ネットワークからなり、かつ前記第２の通信路および第２の通信インターフェース部が、それぞれ前記第１の通信路および前記第１の通信インターフェース部からなることを特徴とする通信端末。
【請求項５】
網間接続されている第１および第２の通信ネットワークと、前記第１および第２の通信ネットワークへ接続する通信端末と、前記第１の通信ネットワークに接続された相手通信端末とを含む通信システムであって、
前記通信端末は、
第１の通信路を介して前記第１の通信ネットワークに接続する第１の通信インターフェース部と、
第２の通信路を介して前記第２の通信ネットワークに接続する第２の通信インターフェース部と、
前記第１の通信路を用いた通信に関する各種呼制御を前記第１の通信ネットワークへ指示し、前記第２の通信路を用いた通信に関する各種呼制御を前記第２の通信ネットワークへ指示し、これら通信の接続および切断を制御する呼制御部と、
前記第１の通信ネットワークに接続されている相手通信端末との間で前記第１の通信路を用いて第１の通信を行っている際、利用者の通信転送操作に応じて、前記呼制御部を自動制御して前記第１および第２の通信ネットワークへ一連の呼制御を指示することにより、前記第２の通信路を用いた自通信端末と前記相手通信端末との通信へ前記第１の通信を切り替える切替制御を行う通信切替制御部と
を備え、
前記通信切替制御部は、
前記第１の通信に関する転送開始要求を、前記呼制御部から前記第１の通信ネットワークへ通知し、
前記転送開始要求に応じて、前記第１の通信ネットワークで前記相手通信端末が保留された後、前記第１の通信路と前記第２の通信路を用いた自通信端末相互間の第２の通信に関する通信確立要求を、前記呼制御部から前記第１の通信ネットワークへ通知し、
前記通信確立要求に応じた前記第２の通信ネットワークからの通信要求に応じて、当該通信要求に対する応答を、前記呼制御部から前記第２の通信ネットワークへ通知し、
前記応答に応じて前記第１の通信路、前記第１の通信ネットワーク、前記第２の通信ネットワーク、および前記第２の通信路を介した前記第２の通信が確立された後、前記第１の通信に関する転送起動要求を、前記呼制御部から前記第１の通信ネットワークへ通知し、
前記転送起動要求に応じて、前記第１の通信ネットワーク、前記第２の通信ネットワーク、および前記第２の通信路を介した、前記相手通信端末と自通信端末との間の第３の通信が確立された後、前記第１の通信路を用いた前記第１の通信および前記第２の通信に関する切断を前記呼制御部へ指示する
ことを特徴とする通信システム。
【請求項６】
網間接続されている第１および第２の通信ネットワークと、前記第１および第２の通信ネットワークへ接続する通信端末と、前記第１の通信ネットワークに接続された相手通信端末とを含む通信システムであって、
前記通信端末は、
通信路を介して前記第１の通信ネットワークに接続する通信インターフェース部と、
前記通信路を用いた通信に関する各種呼制御を前記第１の通信ネットワークへ指示し、当該通信の接続および切断を制御する呼制御部と、
前記第１の通信ネットワークに接続されている相手通信端末との間で前記通信路を用いて第１の通信を行っている際、利用者の通信転送操作に応じて、前記呼制御部を自動制御して前記第１の通信ネットワークへ一連の呼制御を指示することにより、前記第２の通信ネットワークに接続されている転送先通信端末と前記相手通信端末との通信へ前記第１の通信を切り替える切替制御を行う通信切替制御部と
を備え、
前記通信切替制御部は、
前記第１の通信に関する転送開始要求を、前記呼制御部から前記第１の通信ネットワークへ通知し、
前記転送開始要求に応じて、前記第１の通信ネットワークで前記相手通信端末が保留された後、前記第１の通信路を介した自通信端末と前記転送先通信端末との間の第２の通信に関する確立要求を、前記呼制御部から前記第１の通信ネットワークへ通知し、
前記確立要求に応じて、前記第１の通信路、前記第１の通信ネットワーク、前記第２の通信ネットワークを介した前記第２の通信が確立された後、前記第１の通信に関する転送起動要求を、前記呼制御部から前記第１の通信ネットワークへ通知し、
前記転送起動要求に応じて、前記第１の通信ネットワークおよび前記第２の通信ネットワークを介した、前記相手通信端末と前記転送先通信端末との間の第３の通信が確立された後、前記第１の通信路を用いた前記第１の通信に関する切断を前記呼制御部へ指示する
ことを特徴とする通信システム。
【請求項７】
網間接続されている第１および第２の通信ネットワークを含む通信システムで用いられ、第１の通信路を介して前記第１の通信ネットワークに接続する第１の通信インターフェース部と、第２の通信路を介して前記第２の通信ネットワークに接続する第２の通信インターフェース部と、前記第１の通信路を用いた通信に関する各種呼制御を前記第１の通信ネットワークへ指示し、前記第２の通信路を用いた通信に関する各種呼制御を前記第２の通信ネットワークへ指示し、これら通信の接続および切断を制御する呼制御部とを備える通信端末の通信切替制御方法であって、
前記通信端末の通信切替制御部が、前記第１の通信ネットワークに接続されている相手通信端末との間で前記第１の通信路を用いて第１の通信を行っている際、利用者の通信転送操作に応じて、前記呼制御部を自動制御して前記第１および第２の通信ネットワークへ一連の呼制御を指示することにより、前記第２の通信路を用いた自通信端末と前記相手通信端末との通信へ前記第１の通信を切り替える切替制御を行う通信切替制御ステップを備え、
前記通信切替制御ステップは、
前記第１の通信に関する転送開始要求を、前記呼制御部から前記第１の通信ネットワークへ通知するステップと、
前記転送開始要求に応じて、前記第１の通信ネットワークで前記相手通信端末が保留された後、前記第１の通信路と前記第２の通信路を用いた自通信端末相互間の第２の通信に関する通信確立要求を、前記呼制御部から前記第１の通信ネットワークへ通知するステップと、
前記通信確立要求に応じた前記第２の通信ネットワークからの通信要求に応じて、当該通信要求に対する応答を、前記呼制御部から前記第２の通信ネットワークへ通知するステップと、
前記応答に応じて前記第１の通信路、前記第１の通信ネットワーク、前記第２の通信ネットワーク、および前記第２の通信路を介した前記第２の通信が確立された後、前記第１の通信に関する転送起動要求を、前記呼制御部から前記第１の通信ネットワークへ通知するステップと、
前記転送起動要求に応じて、前記第１の通信ネットワーク、前記第２の通信ネットワーク、および前記第２の通信路を介した、前記相手通信端末と自通信端末との間の第３の通信が確立された後、前記第１の通信路を用いた前記第１の通信および前記第２の通信に関する切断を前記呼制御部へ指示するステップと
を含む
ことを特徴とする通信切替制御方法。
【請求項８】
網間接続されている第１および第２の通信ネットワークを含む通信システムで用いられ、通信路を介して前記第１の通信ネットワークに接続する通信インターフェース部と、前記通信路を用いた通信に関する各種呼制御を前記第１の通信ネットワークへ指示し、当該通信の接続および切断を制御する呼制御部とを備える通信端末の通信切替制御方法であって、
前記通信端末の通信切替制御部が、前記第１の通信ネットワークに接続されている相手通信端末との間で前記通信路を用いて第１の通信を行っている際、利用者の通信転送操作に応じて、前記呼制御部を自動制御して前記第１の通信ネットワークへ一連の呼制御を指示することにより、前記第２の通信ネットワークに接続されている転送先通信端末と前記相手通信端末との通信へ前記第１の通信を切り替える切替制御を行う通信切替制御ステップを備え、
前記通信切替制御ステップは、
前記第１の通信に関する転送開始要求を、前記呼制御部から前記第１の通信ネットワークへ通知するステップと、
前記転送開始要求に応じて、前記第１の通信ネットワークで前記相手通信端末が保留された後、前記第１の通信路を介した自通信端末と前記転送先通信端末との間の第２の通信に関する通信確立要求を、前記呼制御部から前記第１の通信ネットワークへ通知するステップと、
前記通信確立要求に応じて、前記第１の通信路、前記第１の通信ネットワーク、前記第２の通信ネットワークを介した前記第２の通信が確立された後、前記第１の通信に関する転送起動要求を、前記呼制御部から前記第１の通信ネットワークへ通知するステップと、
前記転送起動要求に応じて、前記第１の通信ネットワークおよび前記第２の通信ネットワークを介した、前記相手通信端末と前記転送先通信端末との間の第３の通信が確立された後、前記第１の通信路を用いた前記第１の通信に関する切断を前記呼制御部へ指示するステップと
を含む
ことを特徴とする通信切替制御方法。
【請求項９】
網間接続されている第１および第２の通信ネットワークを含む通信システムで用いられ、第１の通信路を介して前記第１の通信ネットワークに接続する第１の通信インターフェース部と、第２の通信路を介して前記第２の通信ネットワークに接続する第２の通信インターフェース部と、前記第１の通信路を用いた通信に関する各種呼制御を前記第１の通信ネットワークへ指示し、前記第２の通信路を用いた通信に関する各種呼制御を前記第２の通信ネットワークへ指示し、これら通信の接続および切断を制御する呼制御部とを備える通信端末のコンピュータに、
前記通信端末の通信切替制御部が、前記第１の通信ネットワークに接続されている相手通信端末との間で前記第１の通信路を用いて第１の通信を行っている際、利用者の通信転送操作に応じて、前記呼制御部を自動制御して前記第１および第２の通信ネットワークへ一連の呼制御を指示することにより、前記第２の通信路を用いた自通信端末と前記相手通信端末との通信へ前記第１の通信を切り替える切替制御を行う通信切替制御ステップを実行させ、
前記通信切替制御ステップに、
前記第１の通信に関する転送開始要求を、前記呼制御部から前記第１の通信ネットワークへ通知するステップと、
前記転送開始要求に応じて、前記第１の通信ネットワークで前記相手通信端末が保留された後、前記第１の通信路と前記第２の通信路を用いた自通信端末相互間の第２の通信に関する通信確立要求を、前記呼制御部から前記第１の通信ネットワークへ通知するステップと、
前記通信確立要求に応じた前記第２の通信ネットワークからの通信要求に応じて、当該通信要求に対する応答を、前記呼制御部から前記第２の通信ネットワークへ通知するステップと、
前記応答に応じて前記第１の通信路、前記第１の通信ネットワーク、前記第２の通信ネットワーク、および前記第２の通信路を介した前記第２の通信が確立された後、前記第１の通信に関する転送起動要求を、前記呼制御部から前記第１の通信ネットワークへ通知するステップと、
前記転送起動要求に応じて、前記第１の通信ネットワーク、前記第２の通信ネットワーク、および前記第２の通信路を介した、前記相手通信端末と自通信端末との間の第３の通信が確立された後、前記第１の通信路を用いた前記第１の通信および前記第２の通信に関する切断を前記呼制御部へ指示するステップと
を含む
ことを特徴とするプログラム。
【請求項１０】
網間接続されている第１および第２の通信ネットワークを含む通信システムで用いられ、通信路を介して前記第１の通信ネットワークに接続する通信インターフェース部と、前記通信路を用いた通信に関する各種呼制御を前記第１の通信ネットワークへ指示し、当該通信の接続および切断を制御する呼制御部とを備える通信端末のコンピュータに、
前記通信端末の通信切替制御部が、前記第１の通信ネットワークに接続されている相手通信端末との間で前記通信路を用いて第１の通信を行っている際、利用者の通信転送操作に応じて、前記呼制御部を自動制御して前記第１の通信ネットワークへ一連の呼制御を指示することにより、前記第２の通信ネットワークに接続されている転送先通信端末と前記相手通信端末との通信へ前記第１の通信を切り替える切替制御を行う通信切替制御ステップを実行させ、
前記通信切替制御ステップに、
前記第１の通信に関する転送開始要求を、前記呼制御部から前記第１の通信ネットワークへ通知するステップと、
前記転送開始要求に応じて、前記第１の通信ネットワークで前記相手通信端末が保留された後、前記第１の通信路を介した自通信端末と前記転送先通信端末との間の第２の通信に関する通信確立要求を、前記呼制御部から前記第１の通信ネットワークへ通知するステップと、
前記通信確立要求に応じて、前記第１の通信路、前記第１の通信ネットワーク、前記第２の通信ネットワークを介した前記第２の通信が確立された後、前記第１の通信に関する転送起動要求を、前記呼制御部から前記第１の通信ネットワークへ通知するステップと、
前記転送起動要求に応じて、前記第１の通信ネットワークおよび前記第２の通信ネットワークを介した、前記相手通信端末と前記転送先通信端末との間の第３の通信が確立された後、前記第１の通信路を用いた前記第１の通信に関する切断を前記呼制御部へ指示するステップと
を含む
ことを特徴とするプログラム。
【請求項１１】
請求項９または請求項１０に記載のプログラムにおいて、
前記第２の通信ネットワークが前記第１の通信ネットワークからなることを特徴とするプログラム。
【請求項１２】
請求項９に記載のプログラムにおいて、
前記第２の通信ネットワークが前記第１の通信ネットワークからなり、かつ前記第２の通信路および第２の通信インターフェース部が、それぞれ前記第１の通信路および前記第１の通信インターフェース部からなることを特徴とするプログラム。
【発明の詳細な説明】
【技術分野】
【０００１】
本発明は、通信技術に関し、特に任意の通信端末との通信を異なる通信路へ切り替えるハンドオーバー技術に関する。
【背景技術】
【０００２】
近年、通信サービス技術の発展に伴い、通信方式の異なる複数の通信ネットワークが並行あるいは隣接して提供されている。例えば、無線通信網では、広域移動体無線ネットワークである第２世代や第三世代の携帯電話網、ＰＨＳ、ＩＥＥＥ８０２．１１準拠の無線ＬＡＮ（ＩＰ電話網）等があり、有線通信網では、インターネット（ＩＰ電話網）、ＩＳＤＮ、ＰＳＴＮ等がある。
【０００３】
利用者は、通信方式の異なる通信ネットワークの通信路ごとに別個の通信端末を利用し、それぞれの通信ネットワークの有効利用を考えて、所望の通信内容に応じて通信端末を使い分けている。
また、電話端末については、通信方式の異なる通信ネットワークの通信路に接続可能な、いわゆるデュアルネットワーク端末と呼ばれる電話端末も提供されている。この種の電話端末は、例えば、広域移動体無線ネットワークやＩＥＥＥ８０２．１１無線ＬＡＮなど、通信方式の異なる複数の無線インターフェースを備えている。
【０００４】
これにより、社内などの特定区域では、無線ＬＡＮに接続することにより、ＩＰ電話などの通信コストの低い音声通話サービスを利用できるとともに、イントラネットなどを利用して多くのデータ通信サービスを利用でき、社外などの特定区域以外では、携帯電話通信網などの広域移動体無線ネットワークに接続して、広域で音声通話サービスやデータ通信サービスを利用することが可能となる（例えば、非特許文献１など参照）。
また、デュアルネットワーク端末以外の一般的な電話端末では、社内において在席している場合は有線の電話端末を利用し、社内を移動している場合は無線の携帯電話端末を利用している。また、通話の内容に応じて、社内の電話端末とプライベートな携帯電話端末とを使い分ける場合もある。
【０００５】
【非特許文献１】http://www.docomo.biz/html/sp/naisen/index.html?_cA=special、「NTTDoCoMo Business Online 内線ケータイ」、株式会社エヌ・ティ・ティ・ドコモ
【非特許文献２】http://www.docomo.biz/html/product/officeed/、「NTTDoCoMo Business Online OFFICEED（オフィシード）」、株式会社エヌ・ティ・ティ・ドコモ
【発明の開示】
【発明が解決しようとする課題】
【０００６】
しかしながら、このような従来技術では、利用者が相手通信端末との通信を他の通信路を用いた通信へ容易に切り替えることができないという問題点があった。
例えば、携帯電話端末の場合、前述したデュアルネットワーク端末を用いたとしても、上記音声通話中に特定区域を出入りした場合、当該音声通話が中断されてしまう。このため、利用者は音声通話を一旦切断して、新たなネットワーク区域に移動した後、再び元の相手に電話をかけ直す必要があり、通話をスムーズに継続できないだけでなく、利用者にとって操作負担となる。
【０００７】
一方、デュアルネットワーク端末以外の一般的な電話端末でも、有線の電話端末で音声通話中に、離席して移動する必要が生じた場合、有線の電話端末による音声通話を一旦切断して、無線の携帯電話端末から再び元の相手に電話をかけ直す必要があり、通話をスムーズに継続できないだけでなく、利用者にとって操作負担となる。
また、このような広域移動体無線ネットワークと無線ＬＡＮを介したＩＰ電話網との間、あるいは有線電話網と無線電話網との間など、通信方式の異なる通信ネットワーク間でのハンドオーバーをネットワーク側で提供するためには、多大な設備投資が必要となる。
【０００８】
本発明はこのような課題を解決するためのものであり、相手通信端末との通信を他の通信路を用いた通信へ容易に切り替えることができる通信端末、通信システム、通信切替制御方法、およびプログラムを提供することを目的としている。
【課題を解決するための手段】
【０００９】
このような目的を達成するために、本発明にかかる通信端末は、網間接続されている第１および第２の通信ネットワークを含む通信システムで用いられる通信端末であって、第１の通信路を介して第１の通信ネットワークに接続する第１の通信インターフェース部と、第２の通信路を介して第２の通信ネットワークに接続する第２の通信インターフェース部と、第１の通信路を用いた通信に関する各種呼制御を第１の通信ネットワークへ指示し、第２の通信路を用いた通信に関する各種呼制御を第２の通信ネットワークへ指示し、これら通信の接続および切断を制御する呼制御部と、第１の通信ネットワークに接続されている相手通信端末との間で第１の通信路を用いて第１の通信を行っている際、利用者の通信転送操作に応じて、呼制御部を自動制御して第１および第２の通信ネットワークへ一連の呼制御を指示することにより、第２の通信路を用いた自通信端末と相手通信端末との通信へ第１の通信を切り替える切替制御を行う通信切替制御部とを備え、通信切替制御部は、第１の通信に関する転送開始要求を、呼制御部から第１の通信ネットワークへ通知し、転送開始要求に応じて、第１の通信ネットワークで相手通信端末が保留された後、第１の通信路と第２の通信路を用いた自通信端末相互間の第２の通信に関する通信確立要求を、呼制御部から第１の通信ネットワークへ通知し、通信確立要求に応じた第２の通信ネットワークからの通信要求に応じて、当該通信要求に対する応答を、呼制御部から第２の通信ネットワークへ通知し、応答に応じて第１の通信路、第１の通信ネットワーク、第２の通信ネットワーク、および第２の通信路を介した第２の通信が確立された後、第１の通信に関する転送起動要求を、呼制御部から第１の通信ネットワークへ通知し、転送起動要求に応じて、第１の通信ネットワーク、第２の通信ネットワーク、および第２の通信路を介した、相手通信端末と自通信端末との間の第３の通信が確立された後、第１の通信路を用いた第１の通信および第２の通信に関する切断を呼制御部へ指示する。
【００１０】
また、本発明にかかる他の通信端末は、網間接続されている第１および第２の通信ネットワークを含む通信システムで用いられる通信端末であって、通信路を介して第１の通信ネットワークに接続する通信インターフェース部と、通信路を用いた通信に関する各種呼制御を第１の通信ネットワークへ指示し、当該通信の接続および切断を制御する呼制御部と、第１の通信ネットワークに接続されている相手通信端末との間で通信路を用いて第１の通信を行っている際、利用者の通信転送操作に応じて、呼制御部を自動制御して第１の通信ネットワークへ一連の呼制御を指示することにより、第２の通信ネットワークに接続されている転送先通信端末と相手通信端末との通信へ第１の通信を切り替える切替制御を行う通信切替制御部とを備え、通信切替制御部は、第１の通信に関する転送開始要求を、呼制御部から第１の通信ネットワークへ通知し、転送開始要求に応じて、第１の通信ネットワークで相手通信端末が保留された後、第１の通信路を介した自通信端末と転送先通信端末との間の第２の通信に関する通信確立要求を、呼制御部から第１の通信ネットワークへ通知し、通信確立要求に応じて、第１の通信路、第１の通信ネットワーク、第２の通信ネットワークを介した第２の通信が確立された後、第１の通信に関する転送起動要求を、呼制御部から第１の通信ネットワークへ通知し、転送起動要求に応じて、第１の通信ネットワークおよび第２の通信ネットワークを介した、相手通信端末と転送先通信端末との間の第３の通信が確立された後、第１の通信路を用いた第１の通信に関する切断を呼制御部へ指示する。
【００１１】
これら通信端末については、第２の通信ネットワークを第１の通信ネットワークから構成してもよい。
また、第２の通信ネットワークを第１の通信ネットワークから構成し、かつ第２の通信路および第２の通信インターフェース部を、それぞれ第１の通信路および第１の通信インターフェース部から構成してもよい。
【００１２】
また、本発明にかかる通信システムは、網間接続されている第１および第２の通信ネットワークと、第１および第２の通信ネットワークへ接続する通信端末と、第１の通信ネットワークに接続された相手通信端末とを含む通信システムであって、通信端末は、第１の通信路を介して第１の通信ネットワークに接続する第１の通信インターフェース部と、第２の通信路を介して第２の通信ネットワークに接続する第２の通信インターフェース部と、第１の通信路を用いた通信に関する各種呼制御を第１の通信ネットワークへ指示し、第２の通信路を用いた通信に関する各種呼制御を第２の通信ネットワークへ指示し、これら通信の接続および切断を制御する呼制御部と、第１の通信ネットワークに接続されている相手通信端末との間で第１の通信路を用いて第１の通信を行っている際、利用者の通信転送操作に応じて、呼制御部を自動制御して第１および第２の通信ネットワークへ一連の呼制御を指示することにより、第２の通信路を用いた自通信端末と相手通信端末との通信へ第１の通信を切り替える切替制御を行う通信切替制御部とを備え、通信切替制御部は、第１の通信に関する転送開始要求を、呼制御部から第１の通信ネットワークへ通知し、転送開始要求に応じて、第１の通信ネットワークで相手通信端末が保留された後、第１の通信路と第２の通信路を用いた自通信端末相互間の第２の通信に関する通信確立要求を、呼制御部から第１の通信ネットワークへ通知し、通信確立要求に応じた第２の通信ネットワークからの通信要求に応じて、当該通信要求に対する応答を、呼制御部から第２の通信ネットワークへ通知し、応答に応じて第１の通信路、第１の通信ネットワーク、第２の通信ネットワーク、および第２の通信路を介した第２の通信が確立された後、第１の通信に関する転送起動要求を、呼制御部から第１の通信ネットワークへ通知し、転送起動要求に応じて、第１の通信ネットワーク、第２の通信ネットワーク、および第２の通信路を介した、相手通信端末と自通信端末との間の第３の通信が確立された後、第１の通信路を用いた第１の通信および第２の通信に関する切断を呼制御部へ指示する。
【００１３】
また、本発明にかかる他の通信システムは、網間接続されている第１および第２の通信ネットワークと、第１および第２の通信ネットワークへ接続する通信端末と、第１の通信ネットワークに接続された相手通信端末とを含む通信システムであって、通信端末は、通信路を介して第１の通信ネットワークに接続する通信インターフェース部と、通信路を用いた通信に関する各種呼制御を第１の通信ネットワークへ指示し、当該通信の接続および切断を制御する呼制御部と、第１の通信ネットワークに接続されている相手通信端末との間で通信路を用いて第１の通信を行っている際、利用者の通信転送操作に応じて、呼制御部を自動制御して第１の通信ネットワークへ一連の呼制御を指示することにより、第２の通信ネットワークに接続されている転送先通信端末と相手通信端末との通信へ第１の通信を切り替える切替制御を行う通信切替制御部とを備え、通信切替制御部は、第１の通信に関する転送開始要求を、呼制御部から第１の通信ネットワークへ通知し、転送開始要求に応じて、第１の通信ネットワークで相手通信端末が保留された後、第１の通信路を介した自通信端末と転送先通信端末との間の第２の通信に関する通信確立要求を、呼制御部から第１の通信ネットワークへ通知し、通信確立要求に応じて、第１の通信路、第１の通信ネットワーク、第２の通信ネットワークを介した第２の通信が確立された後、第１の通信に関する転送起動要求を、呼制御部から第１の通信ネットワークへ通知し、転送起動要求に応じて、第１の通信ネットワークおよび第２の通信ネットワークを介した、相手通信端末と転送先通信端末との間の第３の通信が確立された後、第１の通信路を用いた第１の通信に関する切断を呼制御部へ指示する。
【００１４】
また、本発明にかかる通信切替制御方法は、網間接続されている第１および第２の通信ネットワークを含む通信システムで用いられ、第１の通信路を介して第１の通信ネットワークに接続する第１の通信インターフェース部と、第２の通信路を介して第２の通信ネットワークに接続する第２の通信インターフェース部と、第１の通信路を用いた通信に関する各種呼制御を第１の通信ネットワークへ指示し、第２の通信路を用いた通信に関する各種呼制御を第２の通信ネットワークへ指示し、これら通信の接続および切断を制御する呼制御部とを備える通信端末の通信切替制御方法であって、通信端末の通信切替制御部が、第１の通信ネットワークに接続されている相手通信端末との間で第１の通信路を用いて第１の通信を行っている際、利用者の通信転送操作に応じて、呼制御部を自動制御して第１および第２の通信ネットワークへ一連の呼制御を指示することにより、第２の通信路を用いた自通信端末と相手通信端末との通信へ第１の通信を切り替える切替制御を行う通信切替制御ステップを備え、通信切替制御ステップは、第１の通信に関する転送開始要求を、呼制御部から第１の通信ネットワークへ通知するステップと、転送開始要求に応じて、第１の通信ネットワークで相手通信端末が保留された後、第１の通信路と第２の通信路を用いた自通信端末相互間の第２の通信に関する通信確立要求を、呼制御部から第１の通信ネットワークへ通知するステップと、通信確立要求に応じた第２の通信ネットワークからの通信要求に応じて、当該通信要求に対する応答を、呼制御部から第２の通信ネットワークへ通知するステップと、応答に応じて第１の通信路、第１の通信ネットワーク、第２の通信ネットワーク、および第２の通信路を介した第２の通信が確立された後、第１の通信に関する転送起動要求を、呼制御部から第１の通信ネットワークへ通知するステップと、転送起動要求に応じて、第１の通信ネットワーク、第２の通信ネットワーク、および第２の通信路を介した、相手通信端末と自通信端末との間の第３の通信が確立された後、第１の通信路を用いた第１の通信および第２の通信に関する切断を呼制御部へ指示するステップとを含む。
【００１５】
また、本発明にかかる他の通信切替制御方法は、網間接続されている第１および第２の通信ネットワークを含む通信システムで用いられ、通信路を介して第１の通信ネットワークに接続する通信インターフェース部と、通信路を用いた通信に関する各種呼制御を第１の通信ネットワークへ指示し、当該通信の接続および切断を制御する呼制御部とを備える通信端末の通信切替制御方法であって、通信端末の通信切替制御部が、第１の通信ネットワークに接続されている相手通信端末との間で通信路を用いて第１の通信を行っている際、利用者の通信転送操作に応じて、呼制御部を自動制御して第１の通信ネットワークへ一連の呼制御を指示することにより、第２の通信ネットワークに接続されている転送先通信端末と相手通信端末との通信へ第１の通信を切り替える切替制御を行う通信切替制御ステップを備え、通信切替制御ステップは、第１の通信に関する転送開始要求を、呼制御部から第１の通信ネットワークへ通知するステップと、転送開始要求に応じて、第１の通信ネットワークで相手通信端末が保留された後、第１の通信路を介した自通信端末と転送先通信端末との間の第２の通信に関する通信確立要求を、呼制御部から第１の通信ネットワークへ通知するステップと、通信確立要求に応じて、第１の通信路、第１の通信ネットワーク、第２の通信ネットワークを介した第２の通信が確立された後、第１の通信に関する転送起動要求を、呼制御部から第１の通信ネットワークへ通知するステップと、転送起動要求に応じて、第１の通信ネットワークおよび第２の通信ネットワークを介した、相手通信端末と転送先通信端末との間の第３の通信が確立された後、第１の通信路を用いた第１の通信に関する切断を呼制御部へ指示するステップとを含む。
【００１６】
また、本発明にかるプログラムは、網間接続されている第１および第２の通信ネットワークを含む通信システムで用いられ、第１の通信路を介して第１の通信ネットワークに接続する第１の通信インターフェース部と、第２の通信路を介して第２の通信ネットワークに接続する第２の通信インターフェース部と、第１の通信路を用いた通信に関する各種呼制御を第１の通信ネットワークへ指示し、第２の通信路を用いた通信に関する各種呼制御を第２の通信ネットワークへ指示し、これら通信の接続および切断を制御する呼制御部とを備える通信端末のコンピュータに、通信端末の通信切替制御部が、第１の通信ネットワークに接続されている相手通信端末との間で第１の通信路を用いて第１の通信を行っている際、利用者の通信転送操作に応じて、呼制御部を自動制御して第１および第２の通信ネットワークへ一連の呼制御を指示することにより、第２の通信路を用いた自通信端末と相手通信端末との通信へ第１の通信を切り替える切替制御を行う通信切替制御ステップを実行させ、通信切替制御ステップに、第１の通信に関する転送開始要求を、呼制御部から第１の通信ネットワークへ通知するステップと、転送開始要求に応じて、第１の通信ネットワークで相手通信端末が保留された後、第１の通信路と第２の通信路を用いた自通信端末相互間の第２の通信に関する通信確立要求を、呼制御部から第１の通信ネットワークへ通知するステップと、通信確立要求に応じた第２の通信ネットワークからの通信要求に応じて、当該通信要求に対する応答を、呼制御部から第２の通信ネットワークへ通知するステップと、応答に応じて第１の通信路、第１の通信ネットワーク、第２の通信ネットワーク、および第２の通信路を介した第２の通信が確立された後、第１の通信に関する転送起動要求を、呼制御部から第１の通信ネットワークへ通知するステップと、転送起動要求に応じて、第１の通信ネットワーク、第２の通信ネットワーク、および第２の通信路を介した、相手通信端末と自通信端末との間の第３の通信が確立された後、第１の通信路を用いた第１の通信および第２の通信に関する切断を呼制御部へ指示するステップとを含む。
【００１７】
また、本発明にかかる他のプログラムは、網間接続されている第１および第２の通信ネットワークを含む通信システムで用いられ、通信路を介して第１の通信ネットワークに接続する通信インターフェース部と、通信路を用いた通信に関する各種呼制御を第１の通信ネットワークへ指示し、当該通信の接続および切断を制御する呼制御部とを備える通信端末のコンピュータに、通信端末の通信切替制御部が、第１の通信ネットワークに接続されている相手通信端末との間で通信路を用いて第１の通信を行っている際、利用者の通信転送操作に応じて、呼制御部を自動制御して第１の通信ネットワークへ一連の呼制御を指示することにより、第２の通信ネットワークに接続されている転送先通信端末と相手通信端末との通信へ第１の通信を切り替える切替制御を行う通信切替制御ステップを実行させ、通信切替制御ステップに、第１の通信に関する転送開始要求を、呼制御部から第１の通信ネットワークへ通知するステップと、転送開始要求に応じて、第１の通信ネットワークで相手通信端末が保留された後、第１の通信路を介した自通信端末と転送先通信端末との間の第２の通信に関する通信確立要求を、呼制御部から第１の通信ネットワークへ通知するステップと、通信確立要求に応じて、第１の通信路、第１の通信ネットワーク、第２の通信ネットワークを介した第２の通信が確立された後、第１の通信に関する転送起動要求を、呼制御部から第１の通信ネットワークへ通知するステップと、転送起動要求に応じて、第１の通信ネットワークおよび第２の通信ネットワークを介した、相手通信端末と転送先通信端末との間の第３の通信が確立された後、第１の通信路を用いた第１の通信に関する切断を呼制御部へ指示するステップとを含む。
【００１８】
これらプログラムについては、第２の通信ネットワークを第１の通信ネットワークから構成してもよい。
また、第２の通信ネットワークを第１の通信ネットワークから構成し、かつ第２の通信路および第２の通信インターフェース部を、それぞれ第１の通信路および第１の通信インターフェース部から構成してもよい。
【発明の効果】
【００１９】
本発明によれば、相手通信端末との通信中に、利用者が通信転送操作を行うだけで、元の通信を他の通信路を用いた通信へ容易に切り替えることができる。
したがって、本実施の形態を電話網に適用し、例えば携帯電話端末として、社内などの特定区域では無線ＬＡＮを介してＩＰ電話網に接続し、社外などの特定区域以外では携帯電話通信網などの広域移動体無線ネットワークに接続するデュアルネットワーク端末を用いている場合には、音声通話中に特定区域を出入りする場合、利用者が通信転送操作を行うだけで、ＩＰ電話網から携帯電話通信網へ、あるいは携帯電話通信網からＩＰ電話網へ、音声通話を容易に切替接続することが可能となる。これにより、利用者は音声通話を一旦切断して、新たなネットワーク区域に移動した後、再び元の相手に電話をかけ直す必要がなくなり、極めて簡単な操作で通話をスムーズに継続することが可能となる。
【００２０】
一方、デュアルネットワーク端末以外の一般的な電話端末でも、有線の電話端末で音声通話中に、離席して移動する必要が生じた場合、利用者が通信転送操作を行うだけで、有線の電話端末から無線の携帯電話端末へ、音声通話を容易に切替接続することが可能となる。これにより、利用者は音声通話を一旦切断して、再び元の相手に電話をかけ直す必要がなくなり、極めて簡単な操作で通話をスムーズに継続することが可能となる。
【００２１】
また、このような広域移動体無線ネットワークと無線ＬＡＮを介したＩＰ電話網との間、あるいは有線電話網と無線電話網との間など、通信方式の異なる通信ネットワーク間でのハンドオーバーをネットワーク側で提供するためには、多大な設備投資が必要となる。しかしながら、本実施の形態では、通信ネットワークの既存のサービス機能を通信端末側から利用しているため、通信ネットワークに新たな機能を追加する必要はない。このため、通信ネットワークの設備投資を必要とすることなく、利用者にとって極めて有用なサービスを提供することが可能となる。
【発明を実施するための最良の形態】
【００２２】
次に、本発明の実施の形態について図面を参照して説明する。
［第１の実施の形態］
まず、図１を参照して、本発明の第１の実施の形態にかかる通信システムについて説明する。図１は、本発明の第１の実施の形態にかかる通信システムの構成を示すブロック図である。
【００２３】
図１の通信システムは、通信ネットワークに接続された複数の通信端末間で、音声通話やデータ通信などの通信を行うとともに、通信端末からの要求に応じて通信先の切り替えを行う機能を有している。
この通信システムは、主な構成として、通信ネットワーク（第１の通信ネットワーク）２、呼制御装置２０、通信ネットワーク（第２の通信ネットワーク）３、呼制御装置３０、通信端末１０、および相手通信端末５０を含んでいる。
【００２４】
通信ネットワーク２は、任意の通信方式で通信サービスを提供する通信ネットワークからなり、呼制御装置２０の呼制御に応じて通信ネットワーク２内の網内経路を任意に接続する機能と、通信路２Ａを介して通信端末１０と接続する機能と、通信路２Ｃを介して相手通信端末５０と接続する機能と、中継路４および通信ネットワーク３を介して通信端末１０と接続する機能とを有している。
【００２５】
呼制御装置２０は、呼制御サーバや電話交換機などのネットワーク装置からなり、通信端末１０、相手通信端末５０、さらには呼制御装置３０との呼制御通信に基づいて、通信ネットワーク２内の網内経路を制御することにより、通信端末１０と相手通信端末５０との間の通信を実現する機能を有している。
【００２６】
図２は、呼制御装置（転送元通信ネットワーク）の構成例を示すブロック図である。この呼制御装置２０には、主な機能部として、通信インターフェース部（以下、通信Ｉ／Ｆ部という）２１、記憶部２２、呼制御部２３、および呼転送部２４が設けられており、これら機能部が内部通信バスを介して相互に接続されている。
【００２７】
通信Ｉ／Ｆ部２１は、専用の通信回路部からなり、通信ネットワーク２、通信端末１０や相手通信端末５０、さらには呼制御装置３０と通信を行う機能を有している。
記憶部２２は、ハードディスクやメモリなどの記憶装置からなり、呼制御部２３や呼転送部２４での制御動作に用いる各種処理情報やプログラムを記憶する機能を有している。
【００２８】
呼制御部２３は、通信Ｉ／Ｆ部２１を介して、通信ネットワーク２、通信端末１０や相手通信端末５０、さらには呼制御装置３０との間で各種呼制御情報をやり取りすることにより、通信ネットワーク２内の網内経路を制御して、通信端末１０と相手通信端末５０に関する通信を実現する機能を有している。
具体的には、通信端末１０と相手通信端末５０との間を通信ネットワーク２内の網内経路で接続することにより両者間の通信６１を実現する機能と、相手通信端末５０の通信を通信ネットワーク２で保留する機能と、通信ネットワーク２に接続されている通信端末１０と中継路４に接続される通信ネットワーク３の通信端末１０との間を、通信ネットワーク２内の網内経路を介して接続することにより両者間の通信６２を実現する機能とを有している。
【００２９】
呼転送部２４は、通信ネットワーク２に接続されている通信端末１０からの転送開始要求に応じて、通信端末１０と通信中の相手通信端末５０を保留した後、通信端末１０からの新たな通信要求に応じて接続した転送先通信端末、ここでは通信ネットワーク３に接続されている通信端末１０へ、相手通信端末５０を切替接続することにより、両者間の通信６３を実現する機能を有している。なお、呼転送部２４の上記転送機能としては、例えば携帯電話網で提供されている保留転送機能（例えば、非特許文献２参照）など、既存の通信ネットワークで提供されているサービス機能を利用すればよい。
これら呼制御部２３および呼転送部２４は、ＣＰＵとプログラムとが協働してなる演算処理部により実現されている。
【００３０】
通信ネットワーク３は、任意の通信方式で通信サービスを提供する通信ネットワークからなり、呼制御装置３０の呼制御に応じて通信ネットワーク３内の網内経路を任意に接続する機能と、通信路３Ａを介して通信端末１０と接続する機能と、中継路４および通信ネットワーク２を介して通信端末１０や相手通信端末５０と接続する機能とを有している。
【００３１】
呼制御装置３０は、呼制御サーバや電話交換機などのネットワーク装置からなり、通信端末１０、さらには呼制御装置２０との呼制御通信に基づいて、通信ネットワーク３内の網内経路を制御することにより、通信端末１０と相手通信端末５０との間の通信を実現する機能を有している。
【００３２】
図３は、呼制御装置（転送先通信ネットワーク）の構成例を示すブロック図である。この呼制御装置３０には、主な機能部として、通信インターフェース部（以下、通信Ｉ／Ｆ部という）３１、記憶部３２、および呼制御部３３が設けられており、これら機能部が内部通信バスを介して相互に接続されている。
【００３３】
通信Ｉ／Ｆ部３１は、専用の通信回路部からなり、通信ネットワーク３、通信端末１０、さらには呼制御装置２０と通信を行う機能を有している。
記憶部３２は、ハードディスクやメモリなどの記憶装置からなり、呼制御部３３での制御動作に用いる各種処理情報やプログラムを記憶する機能を有している。
【００３４】
呼制御部３３は、通信Ｉ／Ｆ部３１を介して、通信ネットワーク３、通信端末１０、さらには呼制御装置２０との間で各種呼制御情報をやり取りすることにより、通信ネットワーク２内の網内経路を制御して、通信端末１０と相手通信端末５０に関する通信を実現する機能を有している。
【００３５】
具体的には、中継路４に接続される通信ネットワーク２の通信端末１０と通信ネットワーク３に接続されている通信端末１０との間を、通信ネットワーク３内の網内経路により接続することにより両者間の通信６２を実現する機能と、中継路４に接続される通信ネットワーク２の相手通信端末５０と通信ネットワーク３に接続されている通信端末１０との間を、通信ネットワーク３内の網内経路により接続することにより両者間の通信６３を実現する機能とを有している。
呼制御部２３は、ＣＰＵとプログラムとが協働してなる演算処理部により実現されている。
【００３６】
通信端末１０は、パソコンやＰＤＡなどの情報処理装置や、携帯電話端末、ＩＰ電話端末、有線電話端末などの電話端末からなり、通信路２Ａを介して通信ネットワーク２へ接続して通信を行う機能と、通信路３Ａを介して通信ネットワーク３へ接続して通信を行う機能と、通信ネットワーク２に対して、通信路３Ａを介した通信へ通信路２Ａを介した通信を切り替える切替制御を行う機能とを有している。
【００３７】
図４は、通信端末の構成例を示すブロック図である。この通信端末１０には、通信インターフェース（以下、通信Ｉ／Ｆ部という）１１、通信インターフェース（以下、通信Ｉ／Ｆ部という）１２、呼制御部１３、通信切替制御部１４、通信処理部１５、記憶部１６、操作部１７、および表示部１８が設けられており、内部通信バスを介して相互に接続されている。
【００３８】
通信Ｉ／Ｆ部１１は、専用の通信回路部からなり、通信路２Ａを介して通信ネットワーク２と接続し、呼制御装置２０や相手通信端末５０、さらには通信ネットワーク３に接続された自通信端末１０の通信Ｉ／Ｆ部１２との間で通信を行う機能を有している。
通信Ｉ／Ｆ部１２は、専用の通信回路部からなり、通信路３Ａを介して通信ネットワーク３と接続し、呼制御装置３０、さらには通信ネットワーク２に接続された自通信端末１０の通信Ｉ／Ｆ部１１との間で通信を行う機能を有している。
この際、これら通信Ｉ／Ｆ部１１，１２には、通信ネットワーク２，３からなる通信システムにおいて、異なる通信アドレスや電話番号が割り当てられているものとする。
【００３９】
呼制御部１３は、通信ネットワーク２や呼制御装置２０との間で、通信路２Ａを介して各種呼制御情報をやり取りすることにより、通信路２Ａを用いた通信に関する各種呼制御を指示する機能と、通信ネットワーク３や呼制御装置３０との間で、通信路３Ａを介して各種呼制御情報をやり取りすることにより、通信路３Ａを用いた通信に関する各種呼制御を指示する機能と、これら通信路２Ａ，３１を用いた通信の接続および切断を制御する機能とを有している。
【００４０】
通信切替制御部１４は、通信路２Ａを介した相手通信端末５０との通信６１を行っている際に、利用者の通信転送操作が操作部１７で検出された場合、この検出に応じて、呼制御部１３を自動制御して通信ネットワーク２と通信ネットワーク３へ一連の呼制御を指示することにより、通信路３Ａを用いた自通信端末１０と相手通信端末５０との通信６３へ通信６１を切り替える切替制御を行う機能を有している。
【００４１】
通信処理部１５は、通信Ｉ／Ｆ部１１や通信Ｉ／Ｆ部１２を制御して、通信路２Ａや通信路３Ａを介した相手通信端末５０との間で、音声通話やデータ通信を行う機能を有している。
これら呼制御部１３、通信切替制御部１４、および通信処理部１５は、ＣＰＵとプログラムとが協働してなる演算処理部により実現されている。
記憶部１６は、ハードディスクやメモリなどの記憶装置からなり、呼制御部１３、通信切替制御部１４、および通信処理部１５での処理動作に用いる各種処理情報やプログラムを記憶する機能を有している。また、記憶部１６には、転送先となる通信端末のアドレス情報が、元の通信に用いている通信Ｉ／Ｆ部１１，１２または通信路２Ａ，３Ａに対応付けて登録されている。
【００４２】
操作部１７は、発信キー、応答キー、通信転送キーなどの各種操作キー、ダイヤルキー、キーボード、マウスなどの操作入力装置からなり、利用者の操作を検出して、呼制御部１３、通信切替制御部１４、および通信処理部１５へ通知する機能を有している。
表示部１８は、ＬＣＤやＰＤＰなどの画面表示装置からなり、呼制御部１３、通信切替制御部１４、および通信処理部１５からの指示に応じて、操作メニュー、電話番号、通信アドレス、通信状況などの各種情報を画面表示する機能を有している。
【００４３】
相手通信端末５０は、パソコンやＰＤＡなどの情報処理装置や、携帯電話端末、ＩＰ電話端末、有線電話端末などの一般的な電話端末からなり、通信路２Ｃを介して通信ネットワーク２へ接続して通信を行う機能を有している。
【００４４】
［第１の実施の形態の動作］
次に、図５を参照して、本発明の第１の実施の形態にかかる通信システムの動作について説明する。図５は、本発明の第１の実施の形態にかかる通信システムの通信転送動作を示すフローチャートである。
ここでは、通信路２Ａを介した相手通信端末５０との通信（第１の通信）６１を、通信路２Ａと通信路３Ａを介した自通信端末１０相互間の通信（第２の通信）６２を経て、通信路３Ａを介した相手通信端末５０との通信６３（第３の通信）へ通信切替を行う場合を例として説明する。また、記憶部１６には、転送先端末のアドレス情報として、通信路２Ａの通信Ｉ／Ｆ部１１に対して自通信端末１０の通信Ｉ／Ｆ部１２のアドレス情報が登録されており、通信路３Ａの通信Ｉ／Ｆ部１２に対して自通信端末１０の通信Ｉ／Ｆ部１１のアドレス情報が登録されているものとする。
【００４５】
通信端末１０と相手通信端末５０とが通信ネットワーク２を介して通信６１を行っている際に、相手通信端末５０との通信を通信路２Ａから通信路３Ａへ切り替える必要が生じた場合、利用者は通信端末１０を操作して通信転送を指示する。
通信端末１０は、操作部１７により利用者による通信転送操作が検出された場合、通信切替制御部１４により、通信６１に対する一連の通信切替制御を開始し、まず、呼制御部１３を制御して通信ネットワーク２の呼制御装置２０へ転送開始要求を通知する。
【００４６】
この転送開始要求に応じて、呼制御装置２０の呼転送部２４は、通信６１に対する一連の通信転送動作を開始し、まず、呼制御部２３を制御して、通信ネットワーク２において通信６１の相手通信端末５０を保留状態とする（ステップ１１０）。
相手通信端末５０が保留された後、通信端末１０の通信切替制御部１４は、呼制御部１３を制御して通信ネットワーク２の呼制御装置２０へ、通信路２Ａと通信路３Ａとを用いた自通信端末１０相互間の通信６２に関する通信確立要求を行う。この際、通信切替制御部１４は、元の通信６１で用いている通信Ｉ／Ｆ部１１に対応する転送先端末のアドレス情報を記憶部１６から取得し、上記通信確立要求において転送先アドレス情報として指定する。
【００４７】
この通信確立要求に応じて、呼制御装置２０の呼転送部２４は、呼制御部２３を制御して通信ネットワーク３の呼制御装置３０へ通信要求を行う。
この通信要求に応じて、呼制御装置３０の呼制御部３３は、通信ネットワーク３の通信端末１０へ通信要求を通知する。
通信端末１０の通信切替制御部１４は、呼制御装置３０からの通信要求に応じて、当該通信要求に対する応答を、呼制御部１３から通信ネットワーク３の呼制御装置３０へ通知する。この応答は、呼制御装置３０から呼制御装置２０さらには通信端末１０へ通知される。
【００４８】
この応答に応じて、呼制御装置２０の呼転送部２４は、呼制御部２３により通信ネットワーク２の網内経路を制御して、通信路２Ａ、通信ネットワーク２、中継路４、通信ネットワーク３、および通信路３Ａを介した自通信端末１０相互間の通信６２を確立する（ステップ１２０）。
通信６２の確立に応じて、通信端末１０の通信切替制御部１４は、呼制御部１３を制御して通信ネットワーク２の呼制御装置２０へ、転送起動要求を通知する。
【００４９】
この転送起動要求に応じて、呼制御装置２０の呼転送部２４は、呼制御部２３により通信ネットワーク２の網内経路を制御して、保留状態にある通信６１の相手通信端末５０を通信６２の通信ネットワーク３側の通信端末１０へ切替接続することにより、相手通信端末５０と通信ネットワーク３側の通信端末１０との間の新たな通信６３を確立する（ステップ１３０）。
【００５０】
通信６３の確立に応じて、通信端末１０の通信切替制御部１４は、呼制御部１３を制御して、通信路２Ａを用いた通信６１を切断するとともに、通信６２を切断する（ステップ１４０）。
これにより、通信路２Ａを介した相手通信端末５０との通信６１が、通信路３Ａを介した相手通信端末５０との通信６３へ転送され、通信端末１０の通信処理部１５により通信６３が開始される。
【００５１】
［第１の実施の形態の効果］
このように、本実施の形態では、通信端末１０において、通信ネットワーク２に接続されている相手通信端末５０との間で通信路２Ａを用いて通信６１を行っている際、利用者の通信転送操作に応じて、通信切替制御部１４により、呼制御部１３を自動制御して通信ネットワーク２，３へ一連の呼制御を指示することにより、通信路３Ａを用いた自通信端末１０と相手通信端末５０との通信６３へ元の通信６１を切り替える切替制御を行う。これにより、相手通信端末５０との通信中に、利用者が通信転送操作を行うだけで、元の通信６１を他の通信路３Ａを用いた通信６３へ容易に切り替えることができる。
【００５２】
［第２の実施の形態］
次に、図６を参照して、本発明の第２の実施の形態にかかる通信システムについて説明する。図６は、本発明の第２の実施の形態にかかる通信システムの構成を示すブロック図であり、図１と同じまたは同等部分には同一符号を付してある。
【００５３】
本実施の形態では、第１の実施の形態にかかる通信システムを電話網に適用した場合について詳細に説明する。
図６に示すように、本実施の形態にかかる通信システムには、主な構成として、ＩＰ電話網２、ＩＰ呼制御サーバ２０、携帯電話網３、携帯電話交換機３０、携帯電話端末１０、および相手電話端末５０を含んでおり、これらの構成は、第１の実施の形態における通信ネットワーク（第１の通信ネットワーク）２、呼制御装置２０、通信ネットワーク（第２の通信ネットワーク）３、呼制御装置３０、通信端末１０、および相手通信端末５０と同様であり、ここでの詳細な説明は省略する。
【００５４】
［第２の実施の形態の動作］
次に、図７および図８を参照して、本発明の第２の実施の形態にかかる通信システムの動作について説明する。図７は、本発明の第２の実施の形態にかかる通信システムの通話転送動作を示すシーケンス図である。図８は、本発明の第２の実施の形態にかかる通信端末の通話転送動作を示すフローチャートである。
【００５５】
ここでは、通信路２Ａを介した相手電話端末５０との通話（第１の通信／第１呼）６１を、通信路２Ａと通信路３Ａを介した自携帯電話端末１０相互間の通話（第２の通信／第２呼）６２を経て、通信路３Ａを介した相手電話端末５０との通話６３（第３の通信／第３呼）へ通話切替を行う場合を例として説明する。
また、携帯電話端末１０のＩＰ電話網２側の通信Ｉ／Ｆ部１１には、電話番号としてＴＥＬ＃１が割り当てられており、相手電話端末５０には、電話番号としてＴＥＬ＃２が割り当てられており、携帯電話端末１０の携帯電話網３側の通信Ｉ／Ｆ部１２には、電話番号としてＴＥＬ＃３が割り当てられているものとする。
【００５６】
また、記憶部１６には、転送先電話端末の電話番号（アドレス情報）として、携帯電話端末１０の通信Ｉ／Ｆ部１１に対応して、通信Ｉ／Ｆ部１２の電話番号ＴＥＬ＃３が登録されており、携帯電話端末１０の通信Ｉ／Ｆ部１２に対応して、通信Ｉ／Ｆ部１１の電話番号ＴＥＬ＃１が登録されているものとする。
【００５７】
携帯電話端末１０と相手電話端末５０とがＩＰ電話網２を介して通話６１を行っている際に（ステップ１００）、相手電話端末５０との通話６１を通信路２Ａから通信路３Ａへ切り替える必要が生じた場合、利用者は携帯電話端末１０を操作して通話切替を指示する（ステップ１１１）。
携帯電話端末１０は、操作部１７により利用者による通信転送操作が検出された場合、通信切替制御部１４により、通話６１に対する一連の通信切替制御を開始し、まず、呼制御部１３を制御してＩＰ電話網２のＩＰ呼制御サーバ２０へ転送開始要求を通知し（ステップ１１２）、この転送開始要求に対する応答受信待ちとなる（ステップ１１２Ａ）。
【００５８】
この転送開始要求に応じて、ＩＰ呼制御サーバ２０の呼転送部２４は、通話６１に対する一連の通信転送動作を開始し、まず、呼制御部２３を制御して、相手電話端末５０へ保留指示を通知する（ステップ１１３）。この後、この保留指示に応じた相手電話端末５０からの応答に応じて（ステップ１１４）、その応答を携帯電話端末１０へ通知するとともに（ステップ１１５）、ＩＰ電話網２の網内経路を制御することにより、ＩＰ電話網２において相手電話端末５０を保留状態とする（ステップ１１６）。
【００５９】
ＩＰ呼制御サーバ２０からの応答に応じて、携帯電話端末１０の通信切替制御部１４は、元の通話６１で用いている通信Ｉ／Ｆ部１１に対応する転送先電話番号として、携帯電話端末１０の携帯電話網３側電話番号ＴＥＬ＃３を記憶部１６から読み出す（ステップ１２０Ａ）。そして、呼制御部１３を制御してＩＰ電話網２のＩＰ呼制御サーバ２０へ、電話番号ＴＥＬ＃３を転送先電話番号として指定した、通信路２Ａと通信路３Ａとを用いた自携帯電話端末１０相互間の通話６２に関する通信確立要求（発信）を通知し（ステップ１２１）、この通信確立要求に応じた応答受信待ちとなる（ステップ１２１Ａ）。
【００６０】
この通信確立要求に応じて、ＩＰ呼制御サーバ２０の呼転送部２４は、呼制御部２３を制御して携帯電話網３の携帯電話交換機３０へ通信要求（発信）を行う（ステップ１２２）。
この通信要求に応じて、携帯電話交換機３０の呼制御部３３は、携帯電話網３の携帯電話端末１０へ通信要求（着信）を通知する（ステップ１２３）。
携帯電話端末１０の通信切替制御部１４は、携帯電話交換機３０からの通話要求に応じて、当該通信要求に対する応答を、呼制御部１３から携帯電話網３の携帯電話交換機３０へ通知する（ステップ１２４）。この際、応答側電話番号として、携帯電話端末１０の携帯電話網３側電話番号ＴＥＬ＃３が通知される。
【００６１】
この応答は、携帯電話交換機３０からＩＰ呼制御サーバ２０さらには携帯電話端末１０へ通知される（ステップ１２５，１２６）。
この応答に応じて、ＩＰ呼制御サーバ２０の呼転送部２４は、呼制御部２３によりＩＰ電話網２の網内経路を制御して、通信路２Ａ、ＩＰ電話網２、中継路４、携帯電話網３、および通信路３Ａを介した自携帯電話端末１０相互間の通話６２を確立する（ステップ１２７）。
また、上記応答に応じて、携帯電話端末１０の通信切替制御部１４は、呼制御部１３を制御してＩＰ電話網２のＩＰ呼制御サーバ２０へ、転送起動要求を通知し（ステップ１３１）、この転送起動要求に対する応答受信待ちとなる（ステップ１３１Ａ）。
【００６２】
この転送起動要求に応じて、ＩＰ呼制御サーバ２０の呼転送部２４は、携帯電話端末１０へ応答を通知した後（ステップ１３２）、呼制御部２３により、保留状態にある通話６１の相手電話端末５０に対して、転送先電話番号であるＴＥＬ＃３への送話先切替を指示する（ステップ１３３）。
この送話先切替指示に応じて、相手電話端末５０は、送話先をＴＥＬ＃１からＴＥＬ＃３へ切り替え（ステップ１３４）、ＩＰ呼制御サーバ２０に対して応答を通知する（ステップ１３５）。
【００６３】
この応答に応じて、携帯電話交換機３０に対して、相手電話番号であるＴＥＬ＃２への送話先切替を指示する（ステップ１３６）。
この送話先切替に応じて、携帯電話交換機３０の呼制御部３３は、携帯電話網３の網内経路を切替制御することにより、通話６２の携帯電話端末１０の送話先をＴＥＬ＃１からＴＥＬ＃２へ切り替え（ステップ１３７）、ＩＰ呼制御サーバ２０に対して応答を通知する（ステップ１３８）。
これにより、相手電話端末５０と携帯電話網３側の携帯電話端末１０との間の新たな通話６３が確立される（ステップ１３９）。
【００６４】
通話６３の確立に応じたＩＰ呼制御サーバ２０からの切断通知に応じて、携帯電話端末１０の通信切替制御部１４は、呼制御部１３を制御して、通信路２Ａを用いた通話６１を切断するとともに（ステップ１４１）、通話６２を切断する（ステップ１４２）。
これにより、通信路２Ａを介した相手電話端末５０との通話６１が、通信路３Ａを介した相手電話端末５０との通話６３へ転送されたことになり、携帯電話端末１０の通信処理部１５により通話６３が開始される。
【００６５】
［第２の実施の形態の効果］
このように、本実施の形態では、携帯電話端末１０において、ＩＰ電話網２に接続されている相手電話端末５０との間で通信路２Ａを用いて通話６１を行っている際、利用者の通信転送操作に応じて、通信切替制御部１４により、呼制御部１３を自動制御してＩＰ電話網２および携帯電話網３へ一連の呼制御を指示することにより、通信路２Ａを用いた自携帯電話端末１０と相手電話端末５０との通話６３へ元の通話６１を切り替える切替制御を行っている。このため、相手電話端末５０との通話中に、利用者が通信転送操作を行うだけで、当該通話６１を他の通信路３Ａを用いた通話へ容易に切り替えることができる。
【００６６】
したがって、例えば携帯電話端末として、社内などの特定区域では無線ＬＡＮを介してＩＰ電話網に接続し、社外などの特定区域以外では携帯電話通信網などの広域移動体無線ネットワークに接続するデュアルネットワーク端末を用いている場合には、音声通話中に特定区域を出入りする場合、利用者が通信転送操作を行うだけで、ＩＰ電話網から携帯電話通信網へ、あるいは携帯電話通信網からＩＰ電話網へ、音声通話を容易に切替接続することが可能となる。これにより、利用者は音声通話を一旦切断して、新たなネットワーク区域に移動した後、再び元の相手に電話をかけ直す必要がなくなり、極めて簡単な操作で通話をスムーズに継続することが可能となる。
【００６７】
また、このような広域移動体無線ネットワークと無線ＬＡＮを介したＩＰ電話網との間など、通信方式の異なる通信ネットワーク間でのハンドオーバーをネットワーク側で提供するためには、多大な設備投資が必要となる。しかしながら、本実施の形態では、通信ネットワークの既存のサービス機能を通信端末側から利用しているため、通信ネットワークに新たな機能を追加する必要はない。このため、通信ネットワークの設備投資を必要とすることなく、利用者にとって極めて有用なサービスを提供することが可能となる。
【００６８】
また、本実施の形態では、ＩＰ電話網２から携帯電話網３へ通話転送を行う場合を例として説明したが、携帯電話網３からＩＰ電話網２へ通話転送を行う場合には、携帯電話端末１０から携帯電話交換機３０の通話転送機能を利用すればよい。この際、ＩＰ電話網では、送話先切替を電話端末で行うが、携帯電話網では、送話先切替を携帯電話網交換機で行う点がことなるものの、これらは電話網側で行われる動作であり、携帯電話端末１０における通話転送制御は、前述と同様にして実施すればよい。
【００６９】
また、本実施の形態では、ＩＰ電話網２と携帯電話網３からなる電話網に第１の実施の形態を適用した場合について説明したが、ＩＰ電話網や携帯電話網以外に各種の電話網がある。例えば無線通信網では、広域移動体無線ネットワークである第２世代や第三世代の携帯電話網、ＰＨＳ、ＩＥＥＥ８０２．１１準拠の無線ＬＡＮ（ＩＰ電話網）等があり、有線通信網では、インターネット（ＩＰ電話網）、ＩＳＤＮ、ＰＳＴＮ等がある。したがって、これら電話網で前述と同様の保留転送機能が提供されている場合には、前述と同様にして本実施の形態を適用することができる。
【００７０】
また、本実施の形態において、図７のステップ１２３の通信要求（着信）に対しては、利用者の操作に応じて、ステップ１２４の応答を携帯電話交換機３０へ通知してもよいが、携帯電話端末１０の通信切替制御部１４において、当該通信要求の内容（発番号）で自携帯電話端末１０からの着信であることが確認できた場合には、利用者の操作を待つことなくその着信に自動応答し、携帯電話端末１０の通信切替制御部１４にステップ１２４の応答を携帯電話交換機３０へ通知してもよい。
【００７１】
［第３の実施の形態］
次に、図９を参照して、本発明の第３の実施の形態にかかる通信システムについて説明する。図９は、本発明の第３の実施の形態にかかる通信システムの構成を示すブロック図であり、図１と同じまたは同等部分には同一符号を付してある。
【００７２】
第１の実施の形態では、転送元である通信端末が、異なる２つの通信ネットワークに並行して接続可能な、いわゆるデュアルネットワーク端末からなり、転送先となる通信端末が異なる通信ネットワーク３に接続された自通信端末である場合を例として説明した。本実施の形態では、転送元の通信端末とは別個の通信端末へ、相手通信端末との通信を転送する場合について説明する。
【００７３】
図９に示すように、本実施の形態にかかる通信システムには、主な構成として、通信ネットワーク（第１の通信ネットワーク）２、呼制御装置２０、通信ネットワーク（第２の通信ネットワーク）３、呼制御装置３０、通信端末１０Ａ、通信端末１０Ｂ、および相手通信端末５０を含んでいる。このうち、通信端末１０Ａ、通信端末１０Ｂ以外の構成は、第１の実施の形態と同様であり、ここでの詳細な説明は省略する。
【００７４】
通信端末１０Ａは、第１の実施の形態で説明した通信端末１０のうち、通信Ｉ／Ｆ部１２を持たない以外の構成は、上記通信端末１０と同様であり、ここでの詳細な説明は省略する。
通信端末１０Ｂは、パソコンやＰＤＡなどの情報処理装置や、携帯電話端末、ＩＰ電話端末、有線電話端末などの一般的な電話端末からなり、通信路３Ａを介して通信ネットワーク３へ接続して通信を行う機能を有している。
【００７５】
［第３の実施の形態の動作］
本実施の形態の場合の通信転送動作は、通信路２Ａを介した通信端末１０Ａと相手通信端末５０との通信（第１の通信）６１を、通信路２Ａと通信路３Ａを介した転送先通信端末１０Ｂとの間の通信（第２の通信）６２を経て、相手通信端末５０と転送先通信端末１０Ｂの通信６３（第３の通信）へ通信切替が行われる。
【００７６】
したがって、前述した図５の通信転送動作のうち、ステップ１２０において、相手通信端末５０が保留された後、通信端末１０Ａの通信切替制御部１４は、呼制御部１３を制御して通信ネットワーク２の呼制御装置２０へ、転送先通信端末１０Ｂとの間の通信６２に関する通信確立要求を行う。
この通信確立要求に応じて、呼制御装置２０の呼転送部２４は、呼制御部２３を制御して通信ネットワーク３の呼制御装置３０へ通信要求を行い、この通信要求に応じて、呼制御装置３０の呼制御部３３は、通信ネットワーク３の通信端末１０Ｂへ通信要求を通知する。
【００７７】
この通信要求に応じて、通信端末１０Ｂは、通信要求を受信したことを表示し、利用者による応答操作に応じて、当該通信要求に対する応答を通信ネットワーク３の呼制御装置３０へ通知する。なお、通信要求に応じて自動応答して、当該通信要求に対する応答を通信ネットワーク３の呼制御装置３０へ通知するようにしてもよい。この応答は、呼制御装置３０から呼制御装置２０さらには通信端末１０Ａへ通知される。
【００７８】
この応答に応じて、呼制御装置２０の呼転送部２４は、呼制御部２３により通信ネットワーク２の網内経路を制御して、通信路２Ａ、通信ネットワーク２、中継路４、通信ネットワーク３、および通信路３Ａを介した通信端末１０Ａと通信端末１０Ｂとの通信６２を確立する。
これ以降、第１の実施の形態と同様にして、通信切替動作が行われる。
【００７９】
［第３の実施の形態の効果］
このように、本実施の形態では、通信端末１０Ａにおいて、通信ネットワーク２に接続されている相手通信端末５０との間で通信路２Ａを用いて通信６１を行っている際、利用者の通信転送操作に応じて、通信切替制御部１４により、呼制御部１３を自動制御して通信ネットワーク２へ一連の呼制御を指示することにより、通信ネットワーク３に接続されている転送先通信端末１０Ｂと相手通信端末５０との通信６３へ元の通信６１を切り替える切替制御を行う。
これにより、相手通信端末５０との通信中に、利用者が通信転送操作を行うだけで、元の通信６１を、通信端末１０Ａとは異なる通信ネットワーク３に接続された、通信端末１０Ａとは異なる転送先通信端末１０Ｂとの通信６３へ容易に切り替えることができる。
【００８０】
したがって、本実施の形態を電話網に適用すれば、デュアルネットワーク端末以外の一般的な電話端末でも、有線の電話端末で音声通話中に、離席して移動する必要が生じた場合、利用者が通信転送操作を行うだけで、有線の電話端末から無線の携帯電話端末へ、音声通話を容易に切替接続することが可能となる。これにより、利用者は音声通話を一旦切断して、再び元の相手に電話をかけ直す必要がなくなり、極めて簡単な操作で通話をスムーズに継続することが可能となる。
【００８１】
また、このような有線電話網と無線電話網との間など、通信方式の異なる通信ネットワーク間でのハンドオーバーをネットワーク側で提供するためには、多大な設備投資が必要となる。しかしながら、本実施の形態では、通信ネットワークの既存のサービス機能を通信端末側から利用しているため、通信ネットワークに新たな機能を追加する必要はない。このため、通信ネットワークの設備投資を必要とすることなく、利用者にとって極めて有用なサービスを提供することが可能となる。
【００８２】
［第４の実施の形態］
次に、図１０を参照して、本発明の第４の実施の形態にかかる通信システムについて説明する。図１０は、本発明の第４の実施の形態にかかる通信システムの構成を示すブロック図であり、図９と同じまたは同等部分には同一符号を付してある。
【００８３】
第３の実施の形態では、転送元の通信端末とは別個の通信ネットワークに接続された別個の通信端末へ、相手通信端末との通信を転送する場合について説明した。本実施の形態では、転送元の通信端末と同一の通信ネットワークに接続された別個の通信端末へ、相手通信端末との通信を転送する場合、すなわち通信ネットワーク３が通信ネットワーク２からなる場合について説明する。
【００８４】
図１０に示すように、本実施の形態にかかる通信システムには、主な構成として、通信ネットワーク（第１の通信ネットワーク）２、呼制御装置２０、通信端末１０Ａ、通信端末１０Ｂ、および相手通信端末５０を含んでいる。このうち、通信端末１０Ｂが通信ネットワーク２に接続されている以外の構成は、第３の実施の形態と同様であり、ここでの詳細な説明は省略する。
【００８５】
通信端末１０Ｂは、パソコンやＰＤＡなどの情報処理装置や、携帯電話端末、ＩＰ電話端末、有線電話端末などの一般的な電話端末からなり、通信路２Ｂを介して通信ネットワーク２へ接続して通信を行う機能を有している。
【００８６】
［第４の実施の形態の動作］
本実施の形態の場合の通信転送動作は、通信路２Ａを介した通信端末１０Ａと相手通信端末５０との通信（第１の通信）６１を、通信路２Ａと通信路２Ｂを介した転送先通信端末１０Ｂとの間の通信（第２の通信）６２を経て、相手通信端末５０と転送先通信端末１０Ｂの通信６３（第３の通信）へ通信切替が行われる。
【００８７】
したがって、前述した図５の通信転送動作のうち、ステップ１２０において、相手通信端末５０が保留された後、通信端末１０Ａの通信切替制御部１４は、呼制御部１３を制御して通信ネットワーク２の呼制御装置２０へ、転送先通信端末１０Ｂとの間の通信６２に関する通信確立要求を行う。
この通信確立要求に応じて、呼制御装置２０の呼転送部２４は、呼制御部２３を制御して通信ネットワーク２の通信端末１０Ｂへ通信要求を通知する。
【００８８】
この通信要求に応じて、通信端末１０Ｂは、通信要求を受信したことを表示し、利用者による応答操作に応じて、当該通信要求に対する応答を通信ネットワーク２の呼制御装置２０へ通知する。なお、通信要求に応じて自動応答して、当該通信要求に対する応答を通信ネットワーク２の呼制御装置２０へ通知するようにしてもよい。この応答は、呼制御装置２０から通信端末１０Ａへ通知される。
【００８９】
この応答に応じて、呼制御装置２０の呼転送部２４は、呼制御部２３により通信ネットワーク２の網内経路を制御して、通信路２Ａ、通信ネットワーク２、および通信路２Ｂを介した通信端末１０Ａと通信端末１０Ｂとの通信６２を確立する。
これ以降、第１の実施の形態と同様にして、通信切替動作が行われる。
【００９０】
［第４の実施の形態の効果］
このように、本実施の形態では、通信端末１０Ａにおいて、通信ネットワーク２に接続されている相手通信端末５０との間で通信路２Ａを用いて通信６１を行っている際、利用者の通信転送操作に応じて、通信切替制御部１４により、呼制御部１３を自動制御して通信ネットワーク２へ一連の呼制御を指示することにより、通信ネットワーク２に接続されている転送先通信端末１０Ｂと相手通信端末５０との通信６３へ元の通信６１を切り替える切替制御を行う。
これにより、相手通信端末５０との通信中に、利用者が通信転送操作を行うだけで、元の通信６１を、通信端末１０Ａと同一の通信ネットワーク２に接続された、通信端末１０Ａとは異なる転送先通信端末１０Ｂとの通信６３へ容易に切り替えることができる。
【００９１】
したがって、本実施の形態を電話網に適用すれば、デュアルネットワーク端末以外の一般的な電話端末でも、仕事用の携帯電話端末に着信した音声通話が、プライベートなものであった場合、利用者が通信転送操作を行うだけで、利用者の個人使用の携帯電話端末へ、音声通話を容易に切替接続することが可能となる。これにより、利用者は音声通話を一旦切断して、再び元の相手に電話をかけ直す必要がなくなり、極めて簡単な操作で通話をスムーズに継続することが可能となる。
【００９２】
［第５の実施の形態］
次に、図１１を参照して、本発明の第５の実施の形態にかかる通信システムについて説明する。図１１は、本発明の第５の実施の形態にかかる通信システムの構成を示すブロック図であり、図１０と同じまたは同等部分には同一符号を付してある。
【００９３】
第４の実施の形態では、転送元の通信端末と同一の通信ネットワークに接続された別個の通信端末へ、相手通信端末との通信を転送する場合について説明した。本実施の形態では、転送元通信端末が、いわゆるデュアルネットワーク端末であって、当該通信端末と同一の通信ネットワークに接続された自通信端末へ、相手通信端末との通信を転送する場合、すなわち通信ネットワーク３が通信ネットワーク２からなり、かつ第２の通信路および第２の通信インターフェース部が、それぞれ第１の通信路および第１の通信インターフェース部からなる場合について説明する。
【００９４】
図１１に示すように、本実施の形態にかかる通信システムには、主な構成として、通信ネットワーク（第１の通信ネットワーク）２、呼制御装置２０、通信端末１０、および相手通信端末５０を含んでいる。このうち、通信端末１０が異なる通信路２Ａ，２Ｂを介して通信ネットワーク２に接続されている以外の構成は、第４の実施の形態と同様であり、ここでの詳細な説明は省略する。
【００９５】
［第５の実施の形態の動作］
本実施の形態の場合の通信転送動作は、通信路２Ａを介した通信端末１０と相手通信端末５０との通信（第１の通信）６１を、通信路２Ａと通信路２Ｂを介した自通信端末１０との間の通信（第２の通信）６２を経て、相手通信端末５０と通信路２Ｂを介した自通信端末１０の通信６３（第３の通信）へ通信切替が行われる。
【００９６】
したがって、前述した図５の通信転送動作のうち、ステップ１２０において、相手通信端末５０が保留された後、通信端末１０の通信切替制御部１４は、呼制御部１３を制御して通信ネットワーク２の呼制御装置２０へ、通信路２Ａと通信路２Ｂを介した自通信端末１０相互間の通信６２に関する通信確立要求を行う。
この通信確立要求に応じて、呼制御装置２０の呼転送部２４は、呼制御部２３を制御して通信ネットワーク２の通信端末１０Ｂへ通信要求を通知する。
【００９７】
通信端末１０の通信切替制御部１４は、呼制御装置２０からの通信要求に応じて、当該通信要求に対する応答を、呼制御部１３から呼制御装置２０へ通知する。この応答は、呼制御装置２０から通信端末１０へ通知される。
この応答に応じて、呼制御装置２０の呼転送部２４は、呼制御部２３により通信ネットワーク２の網内経路を制御して、通信路２Ａ、通信ネットワーク２、および通信路２Ｂを介した通信端末１０相互間の通信６２を確立する。
これ以降、第１の実施の形態と同様にして、通信切替動作が行われる。
【００９８】
［第５の実施の形態の効果］
このように、本実施の形態では、通信端末１０において、通信ネットワーク２に接続されている相手通信端末５０との間で通信路２Ａを用いて通信６１を行っている際、利用者の通信転送操作に応じて、通信切替制御部１４により、呼制御部１３を自動制御して通信ネットワーク２へ一連の呼制御を指示することにより、通信路２Ｂを介して通信ネットワーク２と接続された自通信端末１０との通信６３へ元の通信６１を切り替える切替制御を行う。
これにより、相手通信端末５０との通信中に、利用者が通信転送操作を行うだけで、通信路２Ａを用いた相手通信端末５０との通信６１を、通信路２Ｂを用いた自通信端末１０との通信６３へ容易に切り替えることができる。
【００９９】
［実施の形態の拡張］
以上では、本発明にかかる通信システムの具体的な適用例として、第２の実施の形態において電話網に適用した場合について説明したが、一般的なデータ通信を行うデータ通信網にも同様にして適用できる。特に、データ通信網を利用してテレビ電話や映像配信などのストリーミング系サービスでは、ある程度の期間にわたり継続してデータ通信を行うため、通信中に通信端末の切り替えが必要な場合が生じやすい。本発明をこのデータ通信網に適用すれば、通信中のデータ通信を一旦切断することなく、極めて簡単な操作で任意の通信ネットワークの任意の通信端末へ通信転送して、データ通信を継続することが可能となる。
【０１００】
また、各実施の形態では、利用者の操作に応じて、通話切替動作を開始する場合について説明したが、通信状況に応じて自動的に通話切替動作を開始するようにしてもよい。例えば、通信Ｉ／Ｆ部１１で得られる無線電波受信レベルや、通信Ｉ／Ｆ部１１や通信処理部１５で得られる通信エラー発生率などの通信状況を通信切替制御部１４で監視しておき、例えば無線電波受信レベルがしきい値より低下した場合や、通信エラー発生率がしきい値より高くなった場合など、通信状況が悪化した場合には、自動的に通信切替動作を開始すればよい。これにより、例えば通信端末が携帯電話端末の場合には、利用者の操作を待つことなく、電波受信状況や通信エラー状況に応じて、迅速に通信経路を切り替えることができ、安定した通話を維持することができる。
【図面の簡単な説明】
【０１０１】
【図１】本発明の第１の実施の形態にかかる通信システムの構成を示すブロック図である。
【図２】呼制御装置（転送元通信ネットワーク）の構成例を示すブロック図である。
【図３】呼制御装置（転送先通信ネットワーク）の構成例を示すブロック図である。
【図４】通信端末の構成例を示すブロック図である。
【図５】本発明の第１の実施の形態にかかる通信システムの通信転送動作を示すフローチャートである。
【図６】本発明の第２の実施の形態にかかる通信システムの構成を示すブロック図である。
【図７】本発明の第２の実施の形態にかかる通信システムの通話転送動作を示すシーケンス図である。
【図８】本発明の第２の実施の形態にかかる通信端末の通話転送動作を示すフローチャートである。
【図９】本発明の第３の実施の形態にかかる通信システムの構成を示すブロック図である。
【図１０】本発明の第４の実施の形態にかかる通信システムの構成を示すブロック図である。
【図１１】本発明の第５の実施の形態にかかる通信システムの構成を示すブロック図である。
【符号の説明】
【０１０２】
１０，１０Ａ…通信端末（携帯電話端末）、１０Ｂ…通信端末、１１，１２…通信Ｉ／Ｆ部、１３…呼制御部、１４…通信切替制御部、１５…通信処理部、１６…記憶部、１７…操作部、１８…表示部、２０…呼制御装置（ＩＰ呼制御サーバ）、２１…通信Ｉ／Ｆ部、２２…記憶部、２３…呼制御部、２４…呼転送部、３０…呼制御装置（携帯電話交換機）、３１…通信Ｉ／Ｆ部、３２…記憶部、３３…呼制御部、５０…相手通信端末（相手電話端末）、６１，６２，６３…通信（通話）、２…通信ネットワーク（ＩＰ電話網）、２Ａ，２Ｂ，２Ｃ…通信路、３…通信ネットワーク（携帯電話網）、３Ａ…通信路、４…中継路。
【図１】
2010004160.tif 000003
【図２】
2010004160.tif 000004
【図３】
2010004160.tif 000005
【図４】
2010004160.tif 000006
【図５】
2010004160.tif 000007
【図６】
2010004160.tif 000008
【図７】
2010004160.tif 000009
【図８】
2010004160.tif 000010
【図９】
2010004160.tif 000011
【図１０】
2010004160.tif 000012
【図１１】
2010004160.tif 000013